【手続補正書】
【提出日】平成16年2月20日(2004.2.20)
【手続補正１】
【補正対象書類名】明細書
【補正対象項目名】特許請求の範囲
【補正方法】変更
【補正の内容】
【特許請求の範囲】
【請求項１】
電灯線を介して複数の装置間でデータ通信を行う通信ネットワークシステムに接続した装置のマスタ機能の移行方法において、
前記マスタ機能は、他の装置へハウスコード又は端末アドレスを設定する機能であり、
前記マスタ機能と他の装置へ付与可能な端末アドレスを保持するアドレステーブルを有する第１の装置は、第２の装置から前記アドレステーブルの送信の要求を示すアドレステーブル送信要求を受信した際に、前記アドレステーブルを前記第２の装置に送信し、
前記第２の装置は、前記アドレステーブルを受信すると、前記アドレステーブルから前記第１の装置に付与可能な端末アドレスである空きアドレスを検索し、前記第１の装置に向けて前記空きアドレスへ端末アドレスを変更する要求と前記マスタ機能を無効にする要求を送信し、
前記第１の装置が自己の端末アドレスを前記空きアドレスへ変更及び前記マスタ機能を無効にした際に、前記第２の装置は自己のマスタ機能を有効にすることを特徴とする装置のマスタ機能の移行方法。
【請求項２】
前記第２の装置は、ユーザ操作により前記第１の装置に対して、前記アドレステーブルの送信の要求を示すアドレステーブル送信要求を送信することを特徴とする請求項１記載の装置のマスタ機能の移行方法。
【請求項３】
ハウスコード又は端末アドレスを設定する機能であるマスタ機能及び端末アドレスを有する第１の装置と第２の装置を含む複数の装置間で電灯線を介してデータ通信を行う通信ネットワークシステムにおいて、
前記第１の装置は、
他の装置へ付与可能な端末アドレスを保持するアドレステーブルを保持する手段と、前記アドレステーブルの送信の要求を示すアドレステーブル送信要求を受信する手段と、前記アドレステーブルを送信する手段とを備え、
前記第２の装置は、
前記アドレステーブル送信要求を送信する手段と、前記アドレステーブルを受信する手段と、前記受信したアドレステーブルから他の装置へ付与可能な端末アドレスである空きアドレスを検索する手段と、前記空きアドレスに端末アドレスを変更する変更要求と前記マスタ機能を無効にする要求を送信する手段とを備え、
前記第２の装置は、前記第１の装置が前記空きアドレスに端末アドレスを変更及び前記マスタ機能を無効にした際に、自己のマスタ機能を有効にすることを特徴とする通信ネットワークシステム。
【請求項４】
電灯線を介してデータ通信を行う通信ネットワークシステムに接続されたマスタ機能を有する装置であって、
前記マスタ機能は、他の装置へハウスコード又は端末アドレスを設定する機能であり、
他の装置へ付与可能な端末アドレスを保持するアドレステーブルを格納する手段と、前記アドレステーブルの送信の要求を示すアドレステーブル送信要求を受信する手段と、前記アドレステーブル送信要求に基づき前記アドレステーブルを送信する手段とを備えたことを特徴とする装置。
【請求項５】
端末アドレス及び前記端末アドレスへの変更要求と前記マスタ機能を無効にすべき要求を受信した際に、自己の端末アドレスを前記受信した端末アドレスに変更し、前記マスタ機能を無効にすることを特徴とする請求項４記載の装置。
【請求項６】
前記受信した端末アドレスへのアドレス変更及び前記マスタ機能を無効にする設定が完了したことを示すアドレス設定完了通知を送信することを特徴とする請求項５記載の装置。
【請求項７】
前記アドレステーブルは、更に端末アドレスを付与済みか否かを示すアドレス付与情報を含むことを特徴とする請求項４記載の装置。
【請求項８】
電灯線を介してデータ通信を行う通信ネットワークシステムに接続されたマスタ機能を有する装置であって、
前記マスタ機能は、他の装置へハウスコード又は端末アドレスを設定する機能であり、
他の装置へ付与可能な端末アドレスを保持するアドレステーブルを取得する手段と、
前記アドレステーブルから他の装置へ付与すべき端末アドレスを抽出し、前記端末アドレス及び前記端末アドレスへの変更要求と他のマスタ機能を有する装置のマスタ機能を無効にする要求を送信する手段を備えたことを特徴とする装置。
【請求項９】
前記アドレステーブルは、更に装置へ端末アドレスを付与済みか否かを示すアドレス付与情報を含むことを特徴とする請求項８記載の装置。
【請求項１０】
前記アドレス設定完了通知を受信した後に自己のマスタ機能を有効にすることを特徴とする請求項９記載の装置。
【請求項１１】
電灯線を介して複数の装置間でデータ通信を行う通信ネットワークシステムに接続された装置であって、
他の装置の端末アドレスと前記端末アドレスが付与済みか否かを示すアドレス付与情報を含むアドレステーブルを保持し、前記アドレス付与情報が所定数以上の場合に他の装置に定期的に応答要求を送信することを特徴とする装置。
【請求項１２】
前記アドレステーブルは、付与された端末アドレス毎に、前記応答要求に対する無応答の回数を記録し、
前記無応答回数がある所定値を超えた端末アドレスに対応する前記アドレス付与情報を付与済みから未付与に変更することを特徴とする請求項１１記載の装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
【課題を解決するための手段】
上記の目的を達成するために、第１の本発明は、電灯線を介して複数の装置間でデータ通信を行う通信ネットワークシステムに接続した装置のマスタ機能の移行方法において、
前記マスタ機能は、他の装置へハウスコード又は端末アドレスを設定する機能であり、
前記マスタ機能と他の装置へ付与可能な端末アドレスを保持するアドレステーブルを有する第１の装置は、第２の装置から前記アドレステーブルの送信の要求を示すアドレステーブル送信要求を受信した際に、前記アドレステーブルを前記第２の装置に送信し、
前記第２の装置は、前記アドレステーブルを受信すると、前記アドレステーブルから前記第１の装置に付与可能な端末アドレスである空きアドレスを検索し、前記第１の装置に向けて前記空きアドレスへ端末アドレスを変更する要求と前記マスタ機能を無効にする要求を送信し、
前記第１の装置が自己の端末アドレスを前記空きアドレスへ変更及び前記マスタ機能を無効にした際に、前記第２の装置は自己のマスタ機能を有効にすることを特徴とする装置のマスタ機能の移行方法である。


【手続補正２１】
【補正対象書類名】明細書
【補正対象項目名】００２８
【補正方法】変更
【補正の内容】
【００２８】
また、第２の本発明は、前記第２の装置は、ユーザ操作により前記第１の装置に対して、前記アドレステーブルの送信の要求を示すアドレステーブル送信要求を送信することを特徴とする第１の本発明の装置のマスタ機能の移行方法である。


【手続補正２２】
【補正対象書類名】明細書
【補正対象項目名】００２９
【補正方法】変更
【補正の内容】
【００２９】
また、第３の本発明は、ハウスコード又は端末アドレスを設定する機能であるマスタ機能及び端末アドレスを有する第１の装置と第２の装置を含む複数の装置間で電灯線を介してデータ通信を行う通信ネットワークシステムにおいて、
前記第１の装置は、
他の装置へ付与可能な端末アドレスを保持するアドレステーブルを保持する手段と、前記アドレステーブルの送信の要求を示すアドレステーブル送信要求を受信する手段と、前記アドレステーブルを送信する手段とを備え、
前記第２の装置は、
前記アドレステーブル送信要求を送信する手段と、前記アドレステーブルを受信する手段と、前記受信したアドレステーブルから他の装置へ付与可能な端末アドレスである空きアドレスを検索する手段と、前記空きアドレスに端末アドレスを変更する変更要求と前記マスタ機能を無効にする要求を送信する手段とを備え、
前記第２の装置は、前記第１の装置が前記空きアドレスに端末アドレスを変更及び前記マスタ機能を無効にした際に、自己のマスタ機能を有効にすることを特徴とする通信ネットワークシステムである。


【手続補正２３】
【補正対象書類名】明細書
【補正対象項目名】００３０
【補正方法】変更
【補正の内容】
【００３０】
また、第４の本発明は、電灯線を介してデータ通信を行う通信ネットワークシステムに接続されたマスタ機能を有する装置であって、
前記マスタ機能は、他の装置へハウスコード又は端末アドレスを設定する機能であり、
他の装置へ付与可能な端末アドレスを保持するアドレステーブルを格納する手段と、前記アドレステーブルの送信の要求を示すアドレステーブル送信要求を受信する手段と、前記アドレステーブル送信要求に基づき前記アドレステーブルを送信する手段とを備えたことを特徴とする装置である。


【手続補正２４】
【補正対象書類名】明細書
【補正対象項目名】００３１
【補正方法】変更
【補正の内容】
【００３１】
また、第５の本発明は、端末アドレス及び前記端末アドレスへの変更要求と前記マスタ機能を無効にすべき要求を受信した際に、自己の端末アドレスを前記受信した端末アドレスに変更し、前記マスタ機能を無効にすることを特徴とする第４の本発明の装置である。


【手続補正２５】
【補正対象書類名】明細書
【補正対象項目名】００３２
【補正方法】変更
【補正の内容】
【００３２】
また、第６の本発明は、前記受信した端末アドレスへのアドレス変更及び前記マスタ機能を無効にする設定が完了したことを示すアドレス設定完了通知を送信することを特徴とする第５の本発明の装置である。


【手続補正２６】
【補正対象書類名】明細書
【補正対象項目名】００３３
【補正方法】変更
【補正の内容】
【００３３】
また、第７の本発明は、前記アドレステーブルは、更に端末アドレスを付与済みか否かを示すアドレス付与情報を含むことを特徴とする第４の本発明の装置である。


【手続補正２７】
【補正対象書類名】明細書
【補正対象項目名】００３４
【補正方法】変更
【補正の内容】
【００３４】
また、第８の本発明は、電灯線を介してデータ通信を行う通信ネットワークシステムに接続されたマスタ機能を有する装置であって、
前記マスタ機能は、他の装置へハウスコード又は端末アドレスを設定する機能であり、
他の装置へ付与可能な端末アドレスを保持するアドレステーブルを取得する手段と、
前記アドレステーブルから他の装置へ付与すべき端末アドレスを抽出し、前記端末アドレス及び前記端末アドレスへの変更要求と他のマスタ機能を有する装置のマスタ機能を無効にする要求を送信する手段を備えたことを特徴とする装置である。


【手続補正２８】
【補正対象書類名】明細書
【補正対象項目名】００３５
【補正方法】変更
【補正の内容】
【００３５】
また、第９の本発明は、前記アドレステーブルは、更に装置へ端末アドレスを付与済みか否かを示すアドレス付与情報を含むことを特徴とする第８の本発明の装置である。


【手続補正２９】
【補正対象書類名】明細書
【補正対象項目名】００３６
【補正方法】変更
【補正の内容】
【００３６】
また、第１０の本発明は、前記アドレス設定完了通知を受信した後に自己のマスタ機能を有効にすることを特徴とする第９の本発明の装置である。


【手続補正３０】
【補正対象書類名】明細書
【補正対象項目名】００３７
【補正方法】変更
【補正の内容】
【００３７】
また、第１１の本発明は、電灯線を介して複数の装置間でデータ通信を行う通信ネットワークシステムに接続された装置であって、
他の装置の端末アドレスと前記端末アドレスが付与済みか否かを示すアドレス付与情報を含むアドレステーブルを保持し、前記アドレス付与情報が所定数以上の場合に他の装置に定期的に応答要求を送信することを特徴とする装置である。


【手続補正３１】
【補正対象書類名】明細書
【補正対象項目名】００３８
【補正方法】変更
【補正の内容】
【００３８】
また、第１２の本発明は、前記アドレステーブルは、付与された端末アドレス毎に、前記応答要求に対する無応答の回数を記録し、
前記無応答回数がある所定値を超えた端末アドレスに対応する前記アドレス付与情報を付与済みから未付与に変更することを特徴とする第１１の本発明の装置である。


【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】